(57)【要約】【課題】外装パネルを外すことなく、容易な構成で故障や異常の状態を外部から確認できうる空気調和機の室外機を提供すること。【解決手段】空気調和機の故障や異常の状態を表示するセグメント表示部２と相対する位置に、内部に凹形状の運搬用取っ手１０を配置しかつ前記取っ手１０を可視可能な透明な素材で形成することにより、故障や異常の内容を前記取っ手１０を介して目視できるので、室外機１の外装パネル８を外さずにすむ。また、通常の室外機１に存する運搬用の取っ手１０を使っているので構成も容易である。【選択図】図２
2008256263.tif 000002
【特許請求の範囲】
【請求項１】
空気調和機の故障や異常の状態を表示する表示部と、前記表示部を搭載した電子制御装置と、外装の一部を構成する外装パネルに内部に凹形状の運搬用取っ手とを備え、前記表示部と相対する位置に前記運搬用取っ手を配置し、かつ前記運搬用取っ手を可視可能な透明な素材で形成したことを特徴とする空気調和機の室外機。
【請求項２】
運搬用取っ手の内側あるいは外側の一部を覆う別の光遮断材を配置することを特徴とする請求項１に記載の空気調和機の室外機。
【請求項３】
運搬用取っ手の内側に着脱可能な別の光遮断材を配置することを特徴とする請求項１に記載の空気調和機の室外機。
【発明の詳細な説明】
【技術分野】
【０００１】
本発明は、故障や異常の状態を表示する表示部を搭載する空気調和機の室外機に関するものである。
【背景技術】
【０００２】
従来、この種の空気調和機の室外機は故障や異常の状態を表示する表示部を電子制御装置上に配置し、外装の一部を構成するサ−ビスパネルを一旦取り外して、目視するという構成をしていたり、また、別の空気調和機の室外機は故障や異常の状態を表示する表示部は本体内部に存し、前記室外機の外装の一部を構成し、側面に配置するカバ−の一部に別の透過性樹脂板を組み込むという構成をしているものもある（例えば、特許文献１参照）。
【０００３】
図７は従来例の空気調和機の室外機の斜視図、図８は従来例の空気調和機の室外機の要部断面図である。図７、図８において、空気調和機の室外機１０１に存する配管カバー１０２に透過性樹脂板１０３を配置し、かつ相対する位置に故障や異常の状態を表示する表示部１０４を電子制御装置１０５上に配置している。
【特許文献１】特開平１１−２３０１０号公報
【発明の開示】
【発明が解決しようとする課題】
【０００４】
しかしながら、上記従来の構成では、空気調和機の故障や異常の状態を把握するのに、室外機の外装の一部を構成するパネルを開けるという手間がかかると共に、特に雨天時には内部に雨水が浸入し、電装部を濡らし故障につながることはないが、可視できる透明部として新たに別の特殊な部品を必要とし構成を複雑にしかつ経済性に欠くという課題を有していた。
【０００５】
本発明は前記従来の課題を解決するもので、室外機を構成する外装パネルやカバーを開けることなく、また部品を増やしコストアップすることなく通常の容易な構成で故障や異常の状態を確認できうる空気調和機の室外機を提供することを目的とする。
【課題を解決するための手段】
【０００６】
前記従来の課題を解決するために本発明の空気調和機の室外機は、空気調和機の故障や異常の状態を表示する表示部と前記表示部を搭載した電子制御装置と前記表示部と相対する位置に、前記室外機の外装の一部を構成する外装パネルに内部に凹形状の運搬用取っ手を配置し、かつ前記運搬用取っ手を可視可能な透明な素材で形成したものである。
【０００７】
これによって、空気調和機の故障や異常の状態を表示する表示部と相対する位置に配置された透明な運搬用取っ手を介して、外装の前面パネルを開けることなく、また通常具備されている取っ手を利用しているので新たに部品を追加することなく空気調和機の故障や異常を確認することのできる空気調和気の室外機が提供されることになる。
【０００８】
また、本発明の空気調和機の室外機は、運搬用取っ手の内側あるいは外側の一部を覆う別の光遮断材を配置している。これによって、運搬用取っ手が持ち運びの利便性により大きくなったとしても、空気調和機の故障や異常を表示する表示部に対して、可視範囲外の不必要な箇所の光を遮断でき明るくなることにより見えにくくなることを防ぎ、容易に空気調和機の故障や異常の内容が確認できる空気調和機の室外機が提供されることになる。
【０００９】
また、本発明の空気調和機の室外機は、運搬用取っ手の内側に着脱可能な別の光遮断材を配置している。これによって、透明な運搬用取っ手の内側に、通常は別の光遮断材を装着し美観を保ち、故障や異常発生時には別の光遮断材を取り外し、透明な運搬用取っ手を介して故障や異常の内容を確認できる空気調和機の室外機が提供されることになる。
【発明の効果】
【００１０】
本発明の空気調和機の室外機は、空気調和機の故障や異常の状態を表示する表示部と相対する位置に配置された透明な運搬用取っ手を介して、外装の前面パネルを開けることなく、また部品を増やしコストアップすることなく通常の容易な構成で故障や異常の内容を確認することができる。
【発明を実施するための最良の形態】
【００１１】
第１の発明は、空気調和機の故障や異常の状態を表示する表示部と、前記表示部を搭載した電子制御装置と、外装の一部を構成する外装パネルに内部に凹形状の運搬用取っ手とを備え、前記表示部と相対する位置に前記運搬用取っ手を配置し、かつ前記運搬用取っ手を可視可能な透明な素材で形成することにより、空気調和機の故障や異常の状態を表示する表示部と相対する位置に配置された透明な運搬用取っ手を介して、外装の前面パネルを開けることなく、空気調和機の故障や異常を確認することができる。
【００１２】
第２の発明は、特に第１の発明の運搬用取っ手の内側あるいは外側の一部を覆う別の光遮断材を配置することにより、運搬用取っ手が持ち運びの利便性により大きくなったとしても、空気調和機の故障や異常を表示する表示部に対して、可視範囲外の不必要な箇所の光を遮断でき明るくなることにより見えにくくなることを防ぎ、容易に空気調和機の故障や異常の内容が確認することができる。
【００１３】
第３の発明は、特に第１の発明の運搬用取っ手の内側に着脱可能な別の光遮断材を中空成形により形成していることにより、通常は別の光遮断材を装着し美観を保ち、故障や異常発生時には別の光遮断材を取り外し、透明な運搬用取っ手を介して故障や異常の内容を確認できる。
【００１４】
以下、本発明の実施の形態について図面を参照しながら説明していく。
【００１５】
（実施の形態１）
図１は本発明の第１の実施形態における空気調和機の室外機の斜視図、図２は本発明の第１の実施形態における空気調和機の室外機の要部断面図である。図１、図２において、圧縮機（図示せず）、熱交換器（図示せず）、ファンモータ（図示せず）等を搭載した空気調和機の室外機１に、故障や異常の状態を表示するセグメント表示部２を搭載した電子制御装置３等を配置した電装部４と、セグメント表示部２と相対する位置に、室外機１を構成する天板５と基板６にネジ７で固定された外装パネル８の開口部９に、内部に凹形状で透明な運搬用取っ手１０を配置した構成となっている。
【００１６】
以上のように構成された空気調和機の室外機について、以下その動作と作用について説明する。空気調和機に故障や異常が発生した場合には、室外機１に具備された電子制御装置３の指示により、その内容に対応する数字や英文字がセグメント表示部２に表示される。点検者は、天板５と基板６に固定されている外装パネル８のネジ７を緩めて取り外すことなく、透明な運搬用取っ手１０を介してセグメント表示部２に示された数字や英文字が目視でき、それに対応する故障や異常の内容を把握することができる。従って、室外機を構成する外装パネルやカバーを開けることなく、また部品を増やしコストアップすることなく通常の容易な構成で故障や異常の状態を確認することができる。
【００１７】
（実施の形態２）
図３は本発明の第２の実施形態における空気調和機の室外機の要部断面図、図４は本発明の第２の実施形態における空気調和機の運搬用取っ手の断面図である。図３、図４において空気調和機の室外機１の外装パネル８の開口部９に、内部に凹形状で透明な運搬用取っ手１０を配置し、運搬用取っ手１０の内側に、故障や異常の状態を表示するセグメント表示部２に相対する面を可視部１０ａとし、可視部１０ａを除いた部分に有色塗装を施した塗装域部１０ｂから構成されている。
【００１８】
以上のように構成された空気調和機の室外機について、以下その動作と作用について説明する。空気調和機に故障や異常が発生した場合には、点検者は、天板５と基板６に固定されている外装パネル８のネジを緩めて取り外すことなく、運搬用取っ手１０の可視部１０ａを介して、セグメント表示部２に示された数字や英文字が目視でき、それに対応する故障や異常の内容を把握することができる。特に、大型の室外機において、運搬用取っ手１０の形状が大きくなった場合に透明部分から余分の光が流入し目視しづらくなることに対し有効である。
【００１９】
また、透明な素材で成型された運搬用取っ手１０は可視部１０ａにマスキングを施すこと等により、可視部１０ａ以外のみを容易に塗装することができる。
【００２０】
（実施の形態３）
図５は本発明の第３の実施形態における空気調和機の室外機の要部断面図、図６は本発明の第３の実施形態における空気調和機の運搬用取っ手部の断面図である。図５、図６において故障や異常の状態を表示するセグメント表示部２に相対する位置に空気調和機の室外機１の外装パネル８の開口部９配置し、開口部９に内部に凹形状で透明な運搬用取っ手１０を配置し、さらに運搬用取っ手１０の内側に中空成形された薄肉の別の光遮断材１１が配置された構成となっている。
【００２１】
以上のように構成された空気調和機の室外機について、以下その動作と作用について説明する。通常時には室外機１の運搬用取っ手１０には、中空成形された薄肉の別の光遮断材１１が装着されているが、故障や異常が発生した場合には、点検者は、天板と基板に固定されている外装パネル８のネジを緩めて取り外すことなく、単に光遮断材１１を取り外すことによりセグメント表示部２に示された数字や英文字が目視でき、それに対応する故障や異常の内容を把握することができる。そして、確認が終えれば光遮断材１１を再度取っ手１０に装着すれば美観が保たれる。
【００２２】
また、光遮断材１１を中空成形により製造することにより、安価に入手することができる。
【産業上の利用可能性】
【００２３】
本発明は、故障や異常の状態を表示する表示部を搭載するものであれば、空気調和機の室外機に限らず適用することができる。
【図面の簡単な説明】
【００２４】
【図１】本発明の第１の実施形態における空気調和機の室外機の斜視図
【図２】本発明の第１の実施形態における空気調和機の室外機の要部断面図
【図３】本発明の第２の実施形態における空気調和機の室外機の要部断面図
【図４】本発明の第２の実施形態における空気調和機の取っ手の断面図
【図５】本発明の第３の実施形態における空気調和機の室外機の要部断面図
【図６】本発明の第３の実施形態における空気調和機の取っ手部の断面図
【図７】従来例の空気調和機の室外機の斜視図
【図８】従来例の空気調和機の室外機の要部断面図
【符号の説明】
【００２５】
１  室外機
２  セグメント表示部
４  電装部
８  外装パネル
１０  運搬用取っ手
１１  光遮断材
【図１】
2008256263.tif 000003
【図２】
2008256263.tif 000004
【図３】
2008256263.tif 000005
【図４】
2008256263.tif 000006
【図５】
2008256263.tif 000007
【図６】
2008256263.tif 000008
【図７】
2008256263.tif 000009
【図８】
2008256263.tif 000010